(57)【要約】【課題】夜間等の外気が低いときに給気をすることで、ユーザに冷涼感や心地よさを与える。【解決手段】筐体前面に室内吸込口と室内吹出口を、筐体背面に室外吸込口と室外吹出口を備え、前記筐体内の室内吸込口と室内吹出口との間の室内通風路には室温センサと蒸発器と室内ファンを設けると共に、前記筐体内の室外吸込口と室外吹出口との間の室外通風路には凝縮器と室外ファンを設け、前記室内通風路の下方には、圧縮機等を収納する機械室を備えた一体型空気調和機に於いて、前記背面又は室外通風路の壁面に室外側換気口２５を設け、前記室内吹出口又は筐体前面に室内側換気口２４を設け、前記室外側換気口２５と室内側換気口２４を連通して換気通風路２６を形成し、この換気通風路２６の一部に換気用ファン２７を設け、前記室外側換気口２５の近傍に外気温センサ２９を備えた。【選択図】図６
2007198636.tif 000002
【特許請求の範囲】
【請求項１】
筐体前面に室内吸込口と室内吹出口を、筐体背面に室外吸込口と室外吹出口を備え、前記筐体内の室内吸込口と室内吹出口との間の室内通風路には室温センサと蒸発器と室内ファンを設けると共に、前記筐体内の室外吸込口と室外吹出口との間の室外通風路には凝縮器と室外ファンを設け、前記室内通風路の下方には、圧縮機等を収納する機械室を備えた一体型空気調和機に於いて、前記背面又は室外通風路の壁面に室外側換気口を設け、前記室内吹出口又は筐体前面に室内側換気口を設け、前記室外側換気口と室内側換気口を連通して換気通風路を形成し、この換気通風路の一部に換気用ファンを設け、前記室外側換気口の近傍に外気温センサを備えた事を特徴とする一体型空気調和機。
【請求項２】
前記換気用ファンを駆動する換気用モータを設け、この換気用モータは多段階に回転数可変とし、前記室温センサが検知した室温Ｔ１と外気温センサが検知した外気温Ｔ２の温度差Ｔに応じて前記換気用モータの回転数が変化する制御装置を備えた請求項１記載の一体型空気調和機。
【請求項３】
前記温度差Ｔがマイナスの所定温度差を超えた場合には圧縮機を停止する制御装置を備えた事を特徴とする請求項２記載の一体型空気調和機。
【発明の詳細な説明】
【技術分野】
【０００１】
この発明は、窓に取り付けられて使用される一体型空気調和機に関するものである。
【背景技術】
【０００２】
従来例として、室内の壁に設置されるセパレートエアコンでは、室内機と室外機の間を接続する冷媒配管が壁を貫通する据付け穴が設けられ、この据付け穴とは別に換気用のダクトが貫通する換気穴が設けられ、室内機に内蔵された換気専用のファンによって吸排気を行うものも有った。（例えば、特許文献１参照）
【０００３】
そして、窓に取り付けられて使用される一体型空気調和機は、セパレ−トエアコンのような大がかりな設置工事が不用で、使用者自身でも簡単に取り付けが出来て、取り扱いが容易であり、又空調制御についても、一定能力の圧縮機を使用して、設定室温と検出室温との偏差で空調運転をＯＮ−ＯＦＦ、即ち空調運転を行う圧縮機と室外ファンを停止させ、室内ファンのみを継続駆動させて室内温度を調整するものであった。
また、近年背面を室外に出さず室内側に空気調和機全体を収納した薄形背面吸排気タイプのものが数多く生産されている。そして、使用者が誤って空気調和機背面の窓を閉めた状態で運転をした場合に室外側の吸排気におけるショートサーキットを防止するため、室外側の吸込空気の温度を検出して圧縮機の運転を停止する窓閉め検知装置を備えたものだった。（例えば、特許文献２参照）
【特許文献１】特開２０００−２４９３６５号公報
【特許文献２】特公昭６３−６５８５８号公報
【発明の開示】
【発明が解決しようとする課題】
【０００４】
しかしながら、前者のセパレートエアコンでは据付け穴と換気穴の２つの穴が必要であるために据付け工事が大がかりになり、据付け工事が煩雑になるものであった。そして換気専用のモータは小さく、回転数も一定なのできめ細かな換気量の調節はできないものであった。
また、後者の一体型空気調和機は据付け工事は簡単であるが、換気をすることができないものであった。
また、製品の低価格化によりコストダウンも必要なものであった。
【課題を解決するための手段】
【０００５】
この発明はこの点に着目し、上記欠点を解決する為、特にその構成を、筐体前面に室内吸込口と室内吹出口を、筐体背面に室外吸込口と室外吹出口を備え、前記筐体内の室内吸込口と室内吹出口との間の室内通風路には室温センサと蒸発器と室内ファンを設けると共に、前記筐体内の室外吸込口と室外吹出口との間の室外通風路には凝縮器と室外ファンを設け、前記室内通風路の下方には、圧縮機等を収納する機械室を備えた一体型空気調和機に於いて、前記背面又は室外通風路の壁面に室外側換気口を設け、前記室内吹出口又は筐体前面に室内側換気口を設け、前記室外側換気口と室内側換気口を連通して換気通風路を形成し、この換気通風路の一部に換気用ファンを設け、前記室外側換気口の近傍に外気温センサを備えたものである。
【０００６】
また、前記換気用ファンを駆動する換気用モータを設け、この換気用モータは多段階に回転数可変とし、前記室温センサが検知した室温Ｔ１と外気温センサが検知した外気温Ｔ２の温度差Ｔに応じて前記換気用モータの回転数が変化する制御装置を備えたものである。
【０００７】
また、前記温度差Ｔがマイナスの所定温度差を超えた場合には圧縮機を停止する制御装置を備えたものである。
【発明の効果】
【０００８】
この発明によれば、夜間の冷房運転中で外気温が室温より下がった時には、室外の清浄で冷涼な空気を室内に給気することで、空調負荷の低減（冷凍サイクルの運転率の低減）を図ることができる。また、ユーザに冷涼感や心地よさを与え、安眠環境を提供できる。また、きめ細かな給気によって室内空気の清浄度を向上できる。
【０００９】
また、測定された温度差Ｔをそのまま利用することによって、簡単に窓の開け忘れによるショートサーキット時の報知および運転停止を行うことができるものである。
【発明を実施するための最良の形態】
【００１０】
次に、この発明に係るウインドエアコンを図面に示された一実施例で説明する。
１はベ−スでこのベ−ス１上に圧縮機２及び電装部３等を収納する機械室４が設けられている。
５は前面パネルで、前面中央にスリット状縦長に設けた室内吸込口６と、この吸込口６の右隣に縦長の室内吹出口７を備えている。
【００１１】
前記室内吹出口７の下方には運転スイッチ８や室温設定スイッチ９や換気運転スイッチ１０等のスイッチ類やリモコン（図示せず）の受信部１１を備えた操作部１２を設けている。
【００１２】
この前面パネル５内の前記機械室４上方は、中央の隔壁１３によって室内側と室外側に仕切られ、室内側には蒸発器１４、室内ファン１５等が設けられ、前記室内吸込口６と蒸発器１４と室内ファン１５と室内吹出口７を連通して室内通風路１６が形成され、室外側には凝縮器１７、室外ファン１８等が設けられ、背面に設けた室外吸込口１９と前記凝縮器１７と室外ファン１８と室外吹出口２０を連通して室外通風路２１を形成している。
【００１３】
また前記機械室４と室内通風路１６は上下仕切板２２によって隔てられ、この上下仕切板２２上に室内モータ２３やドレンパン（図示せず）を固定している。
【００１４】
２４は前記室内吹出口７と操作部１２の間の前面パネル５に設けた室内側換気口で、背面右下部に設けた室外側換気口２５と連通して換気通風路２６形成している。
前記排気通風路２６は機械室４と室外通風路２１をダクト状に貫通すると共に、排気通路２６内の前後方向の略中央には換気用ファン２７を設け、前記換気通風路２６の側面にに固定された換気用モータ２８を回転することで、室外側換気口２５から屋外の新鮮な外気を給気して室内側換気口２４から室内に吹き出すことができるものである。
【００１５】
前記換気用モータ２８は回転数が多段階に変化する事で風量を調整可能なものであり、例えば、必要に応じて強は３０００ｒｐｍ、中は２０００ｒｐｍ、弱は１０００ｒｐｍで運転を行い、換気用ファン２７を回転する。
【００１６】
２９は前記室外側換気口２５の近傍に設けられた外気温センサで、屋外空気の温度をサーミスタセンサ等によって感知するものである。
３０は前記室内吸込口６の内側の室内通風路１６に設けられた室温センサで、室内空気の温度をサーミスタセンサ等によって感知するものである。
【００１７】
前記電装部３にはマイコン等から成る制御装置３１を備え、この制御装置３１の入力側には、前記運転スイッチ８及び希望する設定室温をセットする室温設定スイッチ９や外気温センサ２９や室温センサ３０が接続されている。
【００１８】
３２は前記制御装置内に備えた室温制御手段で、前記室温設定スイッチ９にて設定された設定室温と室温センサ３０にて検知された現在室温との温度差に応じて、圧縮機２をＯＮ−ＯＦＦ運転することで室温の調節を行うものである。
３３は前記室外ファン１８を駆動する室外モータである。
【００１９】
前記制御装置３１の出力側には、圧縮機２や室内モータ２３、換気用モータ２８、室外モータ３３が接続されている。
【００２０】
３４は前記制御装置内に備えた換気兼窓検知制御手段で、前記室温センサ３０が検知した室温Ｔ１と外気温センサ２９が検知した外気温Ｔ２の温度差Ｔに応じて前記換気用モータ２８の回転数を変化させるもので、夏季の冷房運転時で、夜間になり外気温Ｔ２が低下して室温Ｔ１との差が大きくなる程、換気量を増加させ室外の清浄で冷涼な空気を室内に給気することで、空調負荷の低減（冷凍サイクルの運転率の低減）を図ることができる。また、ユーザに冷涼感や心地よさを与え、安眠環境を提供できる。また、きめ細かな給気によって室内空気の清浄度を向上できるものである。
【００２１】
また、前記温度差Ｔがマイナスの所定温度差（例えば２０℃）を超えた場合には、空気調和機背面の窓が閉められたまま運転がされたことによって、ショートサーキットが発生していると判断して圧縮機を停止するものである。
【００２２】
作動について説明をすれば、操作部１２又はリモコンの運転スイッチ８の操作によって冷房運転が開始され、圧縮機２、室内ファン１５、室外ファン１８が運転することで、冷凍サイクル内に冷媒が循環し、蒸発器１４は低温になり凝縮器２は高温なり、室内吸込口６から吸い込まれた空気を蒸発器１４にて冷却し室内に吹き出すものであり、室外側では室外吸込口１９から吸い込まれた外気で高温の凝縮器２を冷却するものである。
【００２３】
次に換気運転スイッチ１０が操作される事による換気運転中かを判断する。換気運転中の場合、制御装置３１にて室温センサ３０と外気温センサ２９の読込を行い、室温Ｔ１マイナス外気温Ｔ２にて温度差Ｔを算出する。
夜間になり外気温Ｔ２が低下して室温Ｔ１よりも温度が低くなった時には、換気用ファン２７の運転により室外の清浄で冷涼な空気を室内に給気するものであり、外気温Ｔ２がより低下した場合は、室温Ｔ１との温度差Ｔが大きくなれば、より換気用ファン２７の回転を増加してより積極的に屋外の冷涼な空気を室内に給気するものである。
【００２４】
また、換気運転中でない通常冷房運転の場合でも、制御装置３１にて室温センサ３０と外気温センサ２９の読込を行い、温度差Ｔがマイナス１５ｄｅｇ以上の場合には、空気調和機背面の窓が閉められたまま運転がされたことによって、ショートサーキットが発生していると判断し、運転を停止して異常ランプ等を点灯する。
【００２５】
このように、換気用ファン２７の制御と窓検知の制御を一つの方法で兼用する事により製造コストの上昇を防止するものである。
【図面の簡単な説明】
【００２６】
【図１】この発明一実施例の正面図。
【図２】同側面の概略断面図。
【図３】同室内通風路と室外通風路の平面の概略拡大断面図。
【図４】同機械室と室外通風路の平面の概略拡大断面図。
【図５】同制御装置の略図。
【図６】同室温と外気温の温度差と換気用モータの回転数を示す図。
【符号の説明】
【００２７】
２４  室内側換気口
２５  室外側換気口
２６  換気通風路
２７  換気用ファン
２８  換気用モータ
２９  外気温センサ
３０  室温センサ
３１  制御装置
【図１】
2007198636.tif 000003
【図２】
2007198636.tif 000004
【図３】
2007198636.tif 000005
【図４】
2007198636.tif 000006
【図５】
2007198636.tif 000007
【図６】
2007198636.tif 000008